(57)【特許請求の範囲】
【請求項１】
ディスク状記録媒体をケース内に収納したカートリッジをトレーによって記録再生位置へ移動させ、ヘッドによって記録および／または再生を行なうようにしたディスク式記録および／または再生装置において、
前記ヘッドが前記ディスク状記録媒体にアクセスする前記カートリッジのケースの開口に設けられたシャッタを開閉するように装置側に設けられるシャッタ開閉機構を具備し、
前記トレーによって前記カートリッジを記録再生位置へ移動させるときの前記カートリッジに対する前記シャッタ開閉機構の相対的運動によって前記シャッタが開かれ、前記トレーによって前記カートリッジを引出し位置へ移動させるときの前記カートリッジに対する前記シャッタ開閉機構の相対的運動によって前記シャッタが閉じられるとともに、
前記トレーに前記シャッタ開閉機構を前記カートリッジの被作動部に押付ける突当てが設けられ、前記シャッタを開くときまたは前記シャッタを閉じるときに該突当て上を前記シャッタ開閉機構が相対的に摺動し、
前記シャッタ開閉機構は開閉ベースを備え、該開閉ベースには長さ方向の中間位置に前記トレーの駆動ユニットの出力端を構成するピニオンと噛合するラックが取り付けられ、
前記開閉ベースの長さ方向における一方の端部に開放動作用の位相ずれ矯正部材が備えられ、該位相ずれ矯正部材に圧縮コイルばねによってリミッタ機能が付与され、前記カートリッジ側の開放用凹部と係合することによってシャッタ開度が不定のカートリッジが装着された場合でもシャッタを全開状態にすることを特徴とするディスク式記録および／または再生装置。
【請求項２】
前記開閉ベースの長さ方向における他方の端部に閉鎖動作用の位相ずれ矯正部材が備えられ、該位相ずれ矯正部材に圧縮コイルばねによってリミッタ機能が付与され、前記カートリッジ側の閉鎖用凹部と係合することによってシャッタ開度が不定のカートリッジが排出された場合でもシャッタを全閉状態にすることを特徴とする請求項１に記載のディスク式記録および／または再生装置。
【請求項３】
前記トレーに前記シャッタ開閉機構を前記カートリッジの被作動部から離間させる手段を有し、前記シャッタの開放を完了したときまたは前記シャッタの閉鎖を完了したときに前記シャッタ開閉機構が前記カートリッジに加えていた押圧力を解放することを特徴とする請求項１または請求項２に記載のディスク式記録および／または再生装置。
【発明の詳細な説明】
【０００１】
【発明の属する技術分野】
本発明はディスク式記録および／または再生装置に係り、とくにディスク状記録媒体をケース内に収納したカートリッジをトレーによって記録再生位置へ移動させ、ヘッドによって記録および／または再生を行なうようにしたディスク式記録および／または再生装置に関する。
【０００２】
【従来の技術】
ＣＤ（コンパクトディスク）やＤＶＤのような光ディスクから成るディスク状記録媒体を用いて記録および／または再生を行なうようにしたディスク式記録および／または再生装置が音楽や映像の記録再生に広く用いられている。さらにはこのようなディスク状記録媒体はコンピュータ等の情報処理装置の記憶装置として用いられている。
【０００３】
この場合に上記のディスク状記録媒体はトレーに載置されるとともに、トレーが引出し位置から記録再生位置に引込まれる。そしてこの状態で回転駆動部を構成するターンテーブルが下方から上昇し、トレーからディスク状記録媒体を浮上がらせて回転駆動させる。このような状態においてディスク状記録媒体に対して光学ピックアップを半径方向に移動させながら記録あるいは再生を行なう。
【０００４】
【発明が解決しようとする課題】
このような光ディスクから成るディスク式記録および／または再生装置において、とくに高密度記録を行なうＤＶＲにおいては、ダスト等による光ディスクの汚損を防止するために、光ディスクをケース内に収納したカートリッジを用いることになる。一般にカートリッジのケースは開口を備え、この開口を不使用時にシャッタによって閉じるとともに、記録再生位置に装着したならば上記シャッタを開き、これによって光学ヘッドによるアクセスを可能にする。
【０００５】
従ってカートリッジを用いるディスク式記録および／または再生装置においては、カートリッジが記録再生位置にローディングされるのに同期してシャッタが完全に開放されるようにすることが好ましい。ここでシャッタはその閉鎖状態が中途半端な状態であっても必ず完全に開放されなければならない。また記録再生を終ってカートリッジを取出す際に、ケースの開口をシャッタによって確実に閉める必要がある。
【０００６】
またカートリッジタイプのディスク式記録および／または再生装置においては、このカートリッジを記録再生位置にローディングしたならば、その状態でカートリッジのケースを面方向のみならず高さ方向にも正しく位置決めし、その中で光ディスクが浮上った状態で円滑に回転するようにしなければならない。
【０００７】
本発明はこのような問題点に鑑みてなされたものであって、カートリッジが記録再生位置に装着されるとケースの開口が完全に開かれ、カートリッジが記録再生位置から取出された場合にはケースの開口がシャッタによって完全に閉鎖され、さらに記録再生の動作中においてはカートリッジのケースが正しく位置保持されるようにしたディスク式記録および／または再生装置を提供することを目的とする。
【０００８】
【課題を解決するための手段】
本願の主要な発明は、ディスク状記録媒体をケース内に収納したカートリッジをトレーによって記録再生位置へ移動させ、ヘッドによって記録および／または再生を行なうようにしたディスク式記録および／または再生装置において、
前記ヘッドが前記ディスク状記録媒体にアクセスする前記カートリッジのケースの開口に設けられたシャッタを開閉するように装置側に設けられるシャッタ開閉機構を具備し、
前記トレーによって前記カートリッジを記録再生位置へ移動させるときの前記カートリッジに対する前記シャッタ開閉機構の相対的運動によって前記シャッタが開かれ、前記トレーによって前記カートリッジを引出し位置へ移動させるときの前記カートリッジに対する前記シャッタ開閉機構の相対的運動によって前記シャッタが閉じられるとともに、
前記トレーに前記シャッタ開閉機構を前記カートリッジの被作動部に押付ける突当てが設けられ、前記シャッタを開くときまたは前記シャッタを閉じるときに該突当て上を前記シャッタ開閉機構が相対的に摺動し、
前記シャッタ開閉機構は開閉ベースを備え、該開閉ベースには長さ方向の中間位置に前記トレーの駆動ユニットの出力端を構成するピニオンと噛合するラックが取り付けられ、
前記開閉ベースの長さ方向における一方の端部に開放動作用の位相ずれ矯正部材が備えられ、該位相ずれ矯正部材に圧縮コイルばねによってリミッタ機能が付与され、前記カートリッジ側の開放用凹部と係合することによってシャッタ開度が不定のカートリッジが装着された場合でもシャッタを全開状態にすることを特徴とするディスク式記録および／または再生装置に関するものである。
【０００９】
ここで、さらに前記開閉ベースの長さ方向における他方の端部に閉鎖動作用の位相ずれ矯正部材が備えられ、該位相ずれ矯正部材に圧縮コイルばねによってリミッタ機能が付与され、前記カートリッジ側の閉鎖用凹部と係合することによってシャッタ開度が不定のカートリッジが排出された場合でもシャッタを全閉状態にしてよい。また前記トレーに前記シャッタ開閉機構を前記カートリッジの被作動部から離間させる手段を有し、前記シャッタの開放を完了したときまたは前記シャッタの閉鎖を完了したときに前記シャッタ開閉機構が前記カートリッジに加えていた押圧力を解放するようにしてよい。
【００１４】
本願に含まれる発明の好ましい態様は、ディスク式記録および／または再生装置において、回転ディスク型記録媒体を収納するカートリッジが装着された場合に、防塵を目的としてカートリッジのケースの開口を閉じているシャッタを開閉するシャッタの開閉に関する機構において、トレーによってカートリッジの装着および排出を行なうようにし、シャッタ開閉機構を装置側に固定配置し、カートリッジを搭載したトレーのローディング動作およびアンローディング動作を利用してカートリッジのシャッタの開閉を行なうようにするものである。
【００１５】
とくにトレーの背面側であってシャッタ開閉機構の相対的な摺動位置に突当てを設け、シャッタ開閉機構の背面上を上記突当てが摺動することによってカートリッジ側のセグメントギヤおよび位相ずれ矯正用係合溝を確実に捕え、カートリッジのシャッタの開閉動作を確実に行なうようにする。またカートリッジのローディング過程で、カートリッジのケース内のディスクがチャッキングされる直前に、トレーの裏面に設置したカムによってシャッタ開閉機構を退避させ、シャッタ開閉機構がカートリッジのガタ規制のためにカートリッジに及ぼしていた荷重の解除を行なうようにする。またカートリッジのアンローディングの過程でカートリッジのケース内のディスクのチャッキングが解除された直後に、シャッタ開閉駆動ベースの下部に設置された圧縮コイルばねによってシャッタ開閉機構をカートリッジに近接するようにスライドさせ、カートリッジのガタ規制のためにカートリッジに荷重を付加している。
【００１６】
またシャッタ開閉機構に設けられている一方の位相ずれ矯正部材は圧縮コイルばねによってリミッタ機能が付与され、カートリッジの対応する位置にのみ係合するようにし、シャッタの開度が半開等の不定の開度のカートリッジが挿入された場合でも、カートリッジおよび装置側のシャッタ開閉機構を損傷することなく所定の位置でシャッタ開放状態を実現するものである。また他方の位相ずれ矯正部材は、圧縮コイルばねによってリミッタ機能が付与され、カートリッジの別の対応する位置にのみ係合するようにし、カートリッジのシャッタが半開等の不定の開度の場合であっても、カートリッジおよび装置側のシャッタ開閉機構を損傷することなく、シャッタを全閉状態にしてから排出するようにしている。ここで上記シャッタ開閉機構をカートリッジに近接させるようにスライドさせる圧縮コイルばねの弾性復元力を上記一対の位相ずれ矯正部材に対してリミッタ機能を付与する圧縮コイルばねの弾性復元力よりも大きな値に設定している。
【００１７】
このようなディスク式記録および／または再生装置におけるシャッタ開閉機構によれば、トレーによってカートリッジを記録再生位置へ移動して装着するようにした機構において、シャッタの開度が不定のカートリッジを全開状態あるいは全閉状態にできる。また機構全体を狭いスペースに収納できるようになる。また一対の位相ずれ矯正部材によって、カートリッジの外形寸法やトレーの寸法によらずにシャッタの開閉動作中の位相ずれを確実に防止できるようになる。またシャッタを全開した後のディスクチャッキングにおいて、カムによってシャッタ開閉機構をカートリッジの側面から引離すことにより、装置内におけるカートリッジの位置出しを阻害することが防止される。
【００１８】
本願に含まれる発明の別の好ましい態様は、ディスク状記録媒体を収納したカートリッジを記録再生位置へ移動させて記録再生を行なうようにしたディスク式記録および／または再生装置において、光学ヘッドのレンズとディスクの表面とを互いにごく近くまで接近させて記録あるいは再生を行なうために、光学ヘッドやディスクの回転駆動部を備えるベースユニットのシャーシが曲らないようにディスク状記録媒体を収納したカートリッジのケースを軽圧でしかも複数のポイントに分けて押えるようにしたものである。これによって記録再生位置へローディングされたカートリッジを正しく位置決めすることが可能になる。
【００１９】
【発明の実施の形態】
（１）構成の説明
図１および図２は本願発明の一実施の形態に係るディスク式記録再生装置の全体の構成を示すものであって、この装置は偏平な直方体状をなす外筐１０を備えている。なお図１および図２に示すように、ここでは上部を開放して示している。そしてこの外筐１０の前面側の開口を閉塞するフロントパネル１１には横長開口１２が形成され、この横長開口１２によって引出し可能にトレー１３が外筐１０内に組込まれるようになっている。
【００２０】
トレー１３はそのほぼ中央部にカートリッジまたはベアディスクを受入れる凹部１４を有するとともに、凹部１４を横切るように縦方向に延びる開口１５が形成されている。この開口１５の奥側にはＵ字状の切込み１６が連設され、手前側には半円形の切込み１７が形成されている。
【００２１】
またトレー１３上であってそのの奥側の側部には駆動ユニット１８が設けられ、さらに駆動ユニット１８を駆動するためのモータ１９が取付けられている。トレー１３は外筐１０の内側であってその両側の段部２０によって摺動可能に支持されるとともに、駆動ユニット１８の出力端を構成するピニオンが段部２０の下側のラック２１と噛合い、これによって図１および図２に示すように、横長開口１２に対して引出しおよび収納自在に自走するようになっている。
【００２２】
上記外筐１０の底板の上部には図３〜図６に示すようなベースユニット２５が設けられている。ベースユニットは板金製のシャーシから構成され、そのほぼ中央部にはブラケット２６を介して回転駆動部を構成するターンテーブル２７が設けられている。ターンテーブル２７はその下側のモータによってダイレクトに駆動されるようになっている。
【００２３】
またベースユニット２５は上記ターンテーブル２７に対してその手前側にＤＶＤ用ピックアップ３１が、奥側にＤＶＲ用ピックアップ３２が配されている。ここでＤＶＤ用ピックアップ３１はガイドロッド３３と送りねじ３４とによってその両側が支持されるとともに、送りねじ３４がステッピングモータ３５によって回転駆動され、これによって光ディスクの半径方向に移動されるようになっている。
【００２４】
これに対して奥側のＤＶＲ用ピックアップ３２は両側の一対のガイドロッド３７、３８によって案内されるようになっており、しかもＤＶＲ用ピックアップ３２を光ディスクに対してその半径方向に移動させるための送りねじ３９が設けられている。この送りねじ３９はステッピングモータ４０によって駆動されようになっており、しかも送りねじ３９はピックアップ３２のナット４１に螺合されている。
【００２５】
またベースユニット２５上にはその前方の両側に一対のサポートロッド４５が立設されるとともに、後方の両側には一体にサポートアーム４６が連設されている。これらのサポートロッド４５およびサポートアーム４６はベースユニット２５が昇降機構によって上昇すると、トレー１３の開口４７、４８から突出するようになり、これによってトレー１３上に載置されるＤＶＲ用カートリッジ５１をその４つのコーナの部分で下面から支持するようになっている。
【００２６】
次にカートリッジ型のディスク状記録媒体であるＤＶＲ用カートリッジ５１に設けられているシャッタを開閉する機構について説明する。図１３に示すようにこの記録再生装置は外筐１０の底板上にチャッキングスライダ５６を備えている。チャッキングスライダ５６は外筐１０の両側板の内側に位置するとともに、両側のスライダ５６は連結板５７によって結合されている。そして連結板５７には長孔５８が形成されるとともに、この長孔５８が外筐１０の底板上に螺着されたねじを受入れ、これによって摺動動作するようになっている。また両側のチャッキングスライダ５６にはそれぞれ一対ずつのカム溝５９が形成されている。
【００２７】
上記カム溝５９はベースユニット２５の両側にそれぞれ植設されているピン６０を受入れるようになっている。しかもピン６０の先端部は外筐１０の内側の表面に形成されている縦溝６１に係合され、これによってチャッキングスライダ５６が前後に移動するとベースユニット２５が昇降動作を行なうようになっている。また一方のチャッキングスライダ５６の内側の表面にはラック２１が形成され、このラック２１が上記トレー１３の駆動ユニット１８の出力端を構成するピニオンと噛合うようになっており、これによってトレー１３はモータ１９の出力によって自走しながら記録再生位置と引出し位置との間を移動するようになっている。
【００２８】
上記左右一対のチャッキングスライダ５６の内の一方のスライダ５６の上部には図１４および図１５に示すようなシャッタ開閉機構６５が取付けられている。このシャッタ開閉機構６５は図１４および図１５に示すように開閉ベース６６を備えるとともに、長さ方向の両端には保持部６７を備えている。そしてこれらの保持部６７がばね６８を受入れるようになっている。ばね６８はこのベース６６をチャッキングスライダ５６から離間するように付勢している。また開閉ベース６６はその一端に突部６９を備えている。
【００２９】
上記開閉ベース６６にはその長さ方向の中間位置にラック７１が取付けられる。ラック７１はその長さ方向の両端にそれぞれ係合爪７２を備え、これらの係合爪７２が開閉ベース６６の係合孔７３に係合されるようになっている。しかもラック７１はばね７４によってベース６６の表面から突出するように付勢される。
【００３０】
さらに上記開閉ベース６６にはその長さ方向の一端であって前端側の部分に位相ずれ矯正部材７５を備えている。この矯正部材７５は一対の係合爪７６を備え、これらの係合爪７６が係合孔７７に係合されるとともに、ばね７８によって突出する方向に付勢されている。またベース６６の後端側には別の位相ずれ矯正部材７９が取付けられ、その両端の係合爪８０がベース６６の係合孔８１に係合されている。またこの位相ずれ矯正部材７９はばね８２によって飛出す方向に付勢されている。
【００３１】
このような開閉ベース６６にラック７１と位相ずれ矯正部材７５、７９を備えるシャッタ開閉機構６５は図１３に示すようにチャッキングスライダ５６に取付けられるとともに、図１９に示すようにトレー１３の移動によってこのトレー１３の下側に侵入し、図２０および図２１に示すように開閉ベース６６に設けられているラック７１、位相ずれ矯正部材７５、７９がトレー１３のスリット６４によってこのトレー１３の凹部１４の内側に臨むようになっており、これによってＤＶＲ用カートリッジ５１にアクセスするようになっている。
【００３２】
トレー１３の下面にはとくに図２２〜図２５に示すように上記シャッタ開閉機構６５の摺動位置に臨むようにカム８５と突当て８６とがそれぞれ設けられている。カム８５はシャッタ開閉機構６５をカートリッジ５１から離間させるように作用し、これに対して突当て８６は逆にシャッタ開閉機構６５がカートリッジ５１に近接するように押圧するようになっている。
【００３３】
次に上記のようなシャッタ開閉機構６５によって開閉されるＤＶＲ用カートリッジ５１のシャッタの構造について説明する。図２６はこのカートリッジ５１のディスク状記録媒体の収納部よりも下側の部分の構成を示したものであって、カートリッジ５１のケースの下側部分が下側シェル９０から構成されている。下側シェル９０にはＤＶＲ用ピックアップ３２のアクセスを可能にする開口９１が形成されている。
【００３４】
また下側シェル９０の開口９１の一方の側部にはピン９２が植設され、このピン９２にロックレバー９３が開閉自在に支持されている。ロックレバー９３はその一端にロック部９４と弾性片９５とを備え、これに対して反対側の部分が被押圧部９６になっている。このようなロックレバー９３はとくにそのロック部９４が後述する内側シェルのロックを行なうようにしている。また下側シェル９０の上面には一対の開閉ピン９７が設けられている。
【００３５】
このような下側シェル９０の上部に一対のシャッタ板１００が配される。シャッタ板１００は内側シェル１０１の下面にそれぞれ支点ピン１０２を介して回動自在に支持されている。しかもそれぞれのシャッタ板１００にはスリット１０３が形成され、これらのスリット１０３が下側シェル９０の表面の開閉ピン９７と係合し、これによって内側シェル１０１の回転に連動してシャッタ板１００の開閉動作が行なわれるようになっている。すなわちシャッタ板１００は下側シェル９０上において内側シェル１０１が回転動作をすると、図２７〜図３６に示すように運動して開口９１を開放するようにしている。内側シェル１０１を逆方向に回転させると、図３６〜図２７に示すように、開口９１がシャッタ板１００によって閉鎖される。
【００３６】
上記下側シェル９０上において回転運動を行なう内側シェル１０１には下側シェル９０の開口９１とほぼ整合する開口１０６が形成されている。また内側シェル１０１の外周部のリブには被ロック部１０８が形成されるとともに、この被ロック部１０８に対して円周方向に若干ずれた位置にセグメントギヤ１０９が形成され、さらにこのセグメントギヤ１０９に対して所定の角度ずれた位置に係合用凹部１１０が形成されている。これらの被ロック部１０８、セグメントギヤ１０９、および係合用凹部１１０に上記シャッタ開閉機構６５がアクセスしながらカートリッジ５１に対して相対的に摺動動作することによって、シャッタ板１００の開閉動作が行なわれる。
【００３７】
次にＤＶＲ用カートリッジ５１が図３７に示すようにトレー１３によって記録再生位置にローディングされたときに、その位置で上側のシェルを上方が押圧するための機構について説明する。上記トレー１３の上側に位置するように図３７に示すホルダ板１１５が取付けられる。このホルダ板１１５には上記ＤＶＲ用カートリッジ５１の４つのコーナとほぼ対応する位置にそれぞれ小さな開口１１６が形成される。そしてこれらの開口１１６にはそれぞれ図３８に示すような押圧機構が取付けられる。
【００３８】
押圧機構はホルダ板１１５の開口１１６を横切るように取付けられるピン１１７と、このピン１１７によって回動自在に支持される押圧レバー１１８と、この押圧レバー１１８に回転可能に取付けられる押圧ローラ１１９と、そしてこの押圧ローラ１１９に対して押圧力を付与するように上記押圧レバー１１８を回動付勢するコイルばね１２０とから構成される。
【００３９】
図３９Ａに示すベースユニット２５をチャッキングスライダ５６のカム溝５９によって図３９Ｂに示すように上昇させると、トレー１３によって導入されたカートリッジ５１がサポートロッド４５とサポートアーム４６とによって支持される。このときにホルダ板１１５上の押圧レバー１１８に取付けられている押圧ローラ１１９がカートリッジ５１の上面の４個所を軽圧で押圧することになる。
【００４０】
（２）動作の説明
次に以上のような構成に係る記録再生装置の動作について説明する。図２に示すトレー１３の凹部１４にＤＶＲ用カートリッジ５１が載置された状態でこのトレー１３が外筐１０内に引込まれた場合には、ＤＶＲ用カートリッジ５１が図７〜図９に示すようにこの装置に装着される。このときにステッピングモータ３５および送りねじ３４によってＤＶＤ用ピックアップ３１がＤＶＲ用カートリッジ５１の外周側であってトレー１３の前方側の部分に退避する。そしてこのときにはＤＶＲ用カートリッジ５１はベースユニット２５上の一対のサポートロッド４５と一対のサポートアーム４６とによってそれぞれ支持される。これらのロッド４５およびアーム４６は何れもベースユニット２５の上昇動作によってトレー１３の開口４７、４８を通してトレー１３の凹部１４上に臨み、ＤＶＲ用カートリッジ５１を正しく位置決めする。
【００４１】
これに対してベアディスク５２がトレー１３の凹部１４に載置された状態でトレー１３が引込まれると、トレー１３は外筐１０内に引込まれる。このときのベアディスク１２のベースユニット２５上における位置関係は図１０〜図１２に示すようになる。すなわちこの場合にはステッピングモータ４０によって送りねじ３９がＤＶＲ用ピックアップ３２をトレー１３の奥側の部分に退避させる。すなわちベアディスク５２に対してその外周側にＤＶＲ用ピックアップ３２が位置する。言換えれば、ベアディスク５２の投影面積の内側にＤＶＲ用ピックアップ３２の少なくともレンズの部分が入らないように退避させる仕組になっている。そしてステッピングモータ３５によって送りねじ３４を介してＤＶＤ用ピックアップ３１がベアディスク５２の下面に位置することになる。このような状態においてターンテーブル２７によってベアディスク５２が回転駆動され、このベアディスク５２に対して記録および／または再生が行なわれる。
【００４２】
このように本実施の形態の記録再生装置は、ＤＶＤ／ＣＤ、ＤＶＲの２つの互いに互換性のないフォーマットのディスク状記録媒体を使用することができる記録再生装置である。ここでベースユニット２５は板金あるいは樹脂によって形成され、この装置の筐体１０内に設けられている。そしてベースユニット２５上においてＤＶＤ／ＣＤ用の光学ピックアップ３１を手前側あるいは前方側に配するとともに、ＤＶＲ用光学ピックアップ３２を奥側に配するようにしている。これに対して光ディスク回転用モータはターンテーブル２７とともに共通化して単一のものを用い、このターンテーブル２７を中心に上記２種類の光学ピックアップ３１、３２をターンテーブル２７の円周方向に１８０度ずれた位置でそれぞれ光ディスクの半径方向に移動自在にしている。なお２種類の光学ピックアップ３１、３２はそれぞれ独立にチルトおよび位置調整を可能にしている。
【００４３】
ここでとくに装置内に侵入する可能性のあるダストに対して弱い高密度記録のためのフォーマットの光学ピックアップであるＤＶＲ用ピックアップ３２を外筐１０に対して奥側に位置するようにベースユニット２５の後方に配置することによって、ダスト対策を可能にしている。なおここで２種類の光学ピックアップ３１、３２が移動するガイド３３、３７、３８の何れかの主軸または副軸について、少なくとも１本を共通化させるようにすると、部品点数の削減が図られる。
【００４４】
またこの装置はＤＶＤ／ＣＤから成るベアディスク５２を用いる場合には、ＤＶＲ用ピックアップ３２がベアディスク５２に対して当らないようにするために、平面的にターンテーブル２７とは反対側に移動するようにＤＶＲ用ピックアップ３２の移動のためのガイドロッド３７、３８を設けている。これらのガイドロッド３７、３８はＤＶＲ用ピックアップ３２がＤＶＲ用カートリッジ５１にアクセスし、このカートリッジ内の光ディスクに対して半径方向に移動させるために必要な部品であるが、その長さを少し長くするだけでＤＶＲ用ピックアップ３２の退避機構を完成している。
【００４５】
逆にＤＶＲ用カートリッジ５１を使用する場合には、ＤＶＤ／ＣＤ用のピックアップ３１がＤＶＲ用カートリッジ５１と干渉しないように、ここではターンテーブル２７に対して反対側の外周側に移動するようにガイドロッド３３および送りねじ３４の長さを長くしている。ガイドロッド３３および送りねじ３４はＤＶＤ用ピックアップ３１がベアディスク５２にアクセスするために必要な部品であるが、その長さを少し長くするだけで、このＤＶＤ用ピックアップ３１の退避を可能にしている。
【００４６】
なお上記実施の形態においては、一対の光学ピックアップ３１、３２の配置をターンテーブル２７の円周方向に対して１８０度ずれた位置であってベースユニット２５の手前側と奥側とに配するようにしているが、２種類の光学ピックアップ３１、３２の配置関係は必ずしも１８０度対向である必要はない。すなわち９０度直交する方向に２つのピックアップ３１、３２を移動可能に配するようにしてよく、あるいはまた両者の移動方向の交差する角度を６０度等の任意の角度に設定することが可能である。これら２種類の光学ピックアップ３１、３２の移動方向の配置は、外筐１０あるいはベースユニット２５内の他の部品の配置との関係において適宜選択できるものである。
【００４７】
次にＤＶＲ用カートリッジ５１をローディングして記録再生位置へ移動したときに、このカートリッジ５１のシャッタ板１００が開放される動作について説明する。図１６に示すようにトレー１３を引出した状態でその凹部１４内にカートリッジ５１を載置する。そしてこの後にトレー１３を駆動部１８によって駆動しながら自走させ、図１７および図１８に示すように外筐１０内に引込む。このときにチャッキングスライダ５６の上端に取付けられているシャッタ開閉機構６５がトレー１３のスリット６４によってトレー１３の凹部１４に臨むようになる（図１７、図１８、図２０、図２１参照）。すなわちトレー１３が引込まれると図１９に示すようこのトレー１３の後端側からシャッタ開閉機構６５が相対的にトレー１３の下側に侵入する。
【００４８】
そしてトレー１３が自走しながら記録再生位置側へ移動するに従って図２０および図２１に示すように、シャッタ開閉機構６５はトレー１３のスリット６４の外側を摺動することになり、このときにシャッタ開閉機構６５のラック７１、一対の位相ずれ矯正部材７５、７９がともにトレー１３のスリット６４によって凹部１４内に臨むようになる。このようなシャッタ開閉機構６５のトレー１３に対する相対的な移動によって、このトレー１３によってローディングされるＤＶＲ用カートリッジ５１のシャッタ板１００が開放される。
【００４９】
なおシャッタ開閉機構６５によるＤＶＲ用カートリッジ５１のシャッタ板１００の開閉動作の際に、図２４に示す突当て８６がシャッタ開閉機構６５の開閉ベース６６を背面側から押圧し、これによってスリット６４を通してトレー１３の凹部１４内に開閉ベース６６が突出するように押圧する。これに対してシャッタ開閉機構６５による開閉動作を終了したならば、カム８５が図２５に示すようにシャッタ開閉機構６５を後退させ、これによってこのシャッタ開閉機構６５がスリット６４から後退し、トレー１３の凹部１４から逃げるようになる。なおこのときに突当て８６は開閉ベース６６に設けられている凹部８７内に受入れられる。
【００５０】
シャッタ開閉機構６５によるＤＶＲ用カートリッジ５１のシャッタ板１００の具体的な開閉の動作を図２７〜図３６によって説明する。カートリッジ５１を搭載したトレー１３を外筐１０内に引込むように自走させると、まず開閉ベース６６の先端部によってロックレバー９３の被押圧部９６が押され、ロックレバー９３がピン９２を中心として時計方向に回動して内側シェル１０１のロックが解除され、やがて図２７に示すようにシャッタ開閉機構６５の先端側の位相ずれ矯正部材７５がカートリッジ５１の側面の溝の部分に侵入する。そしてシャッタ開閉機構６５の相対的な移動によりカートリッジ５１の内側シェル１０１の係合用凹部１１０に図２８に示すように位相ずれ矯正部材７５が係合する。これによって内側シェル１０１が下側シェル９０に対して図２９に示すように時計方向に回転される。
【００５１】
内側シェル１０１は図２６に示すように支点ピン１０２を介して一対のシャッタ板１００を開閉自在に支持するとともに、このシャッタ板１００のスリット１０３が下側シェル９０の内表面に設けられているピン９８に係合されているために、内側シェル１０１が回転されるとこれによって図２９〜図３４に示すようにシャッタ板１００が内側シェル１０１に対して支点ピン１０２を中心として回動運動を行ない、これによって内側シェル１０１の開口１０６を開放する。
【００５２】
図２９に示すように位相ずれ矯正部材７５は内側シェル１０１が比較的小さな角度回動されている内はその係合用凹部１１０に係合されているものの、開閉ベース６６のラック７１が内側シェル１０１のセグメントギヤ１０９に図３０に示すように噛合うと、この位相ずれ矯正部材７５が内側シェル１０１の係合用凹部１１０から離脱する。従ってこの後は開閉ベース６６の移動によってラック７１がセグメントギヤ１０９と係合しながら内側シェル１０１を同じ方向に回動させることになり、これによってシャッタ板１００が内側シェル１０１の開口１０６を徐々に広くようになる（図３１参照）。
【００５３】
図３２に示すように内側シェル１０１が図２７に示す位置から約４０度開かれると開閉ベース６６の後側の位相ずれ矯正部材７９が内側シェル１０１の被ロック部１０８に係合する。従ってこの後は主として後側の位相ずれ矯正部材７９が内側シェル１０１を時計方向に回転させるようになる。そして図３３に示す状態を経て図３４に示すように約５０度内側シェル１０１が回転されると、シャッタ板１００は開口１０６を完全に開放する。
【００５４】
そしてさらにこの内側シェル１０１が開閉ベース６６の後側の位相ずれ矯正部材７９によって時計方向に回転されると、図３５に示すように開放された内側シェル１０１の開口１０６と下側シェル９０の開口９１とがほぼ完全に整合するようになる。なおこのときに内側シェル１０１の被ロック部１０８は真横の位置にある。そしてこの状態でロックレバー９３のロック部９４が内側シェル１０１の突部１１１の終端に係合し、開放状態で内側シェル１０１がロックされる。
【００５５】
そしてこの後に図２３および図２５に示すように、トレー１３の裏側のカム８５が開閉ベース６６の突部６９を押戻し、これによってこのシャッタ開閉機構６５を退避させる。従って図３６に示すようにシャッタ板１００が完全に開放されるとともに内側シェル１０１の開口１０６と下側シェル９０の開口９１とが整合された状態で、シャッタ開閉機構６５がカートリッジ５１から離間する。
【００５６】
なおシャッタ板１００を閉じる動作は上記とは逆の動作によって行なわれる。すなわち図１８に示すように記録再生位置に移動されたトレー１３を引出して図１６に示すように引出し位置へ移動させるのに連動して、トレー１３に搭載されているＤＶＲ用カートリッジ５１のシャッタ板１００が閉じるようになっている。
【００５７】
この動作は逆に図３６〜図２７の順序で行なわれる。すなわちまず開閉ベース６６の後端の突部１２５によってカートリッジ５１のロックレバー９３の被押圧部９６が押され、内側シェル１０１の突部１１１のロックレバー９３によるロックが解除される。そしてその後に開閉ベース６６の後側の位相ずれ矯正部材７９がまず内側シェル１０１の被ロック部１０８と係合して内側シェル１０１を反時計方向に回転させる。そして位相ずれ矯正部材７９が被ロック部１０８から離間する前にセグメントギヤ１０９がラック７１によって押されて同方向に回転する。そして最後には前方の位相ずれ矯正部材７５が内側シェル１０１の係合用凹部１１０に係合しながら最初の回転位置へ復帰させ、内側シェル１０１の開口１０６と下側シェル９０の開口９１とがずれるとともに、一対のシャッタ板１００が内側シェル１０１の開口１０６を完全に閉鎖するようになる。
【００５８】
ここでカートリッジ５１のシャッタ板１００が図２７および図２８に示すように完全に内側シェル１００の開口１０６を閉じた状態ではなく、図２９あるいは図３０に示すように開口１０６が半開状態でローディングが行なわれた場合のシャッタ板１００の開放動作について説明する。この場合にはシャッタ開閉機構６５の前方の位相ずれ矯正部材７５が完全に機能しないで開放動作が行なわれる。すなわち位相ずれ矯正部材７５が必ずしも内側シェル１０１の係合用凹部１１０に係合せず、むしろセグメントギヤ１０９に係合したり、あるいはまた位相ずれ矯正部材７５が開放動作を行なわない。そしてシャッタ開閉機構７５のラック７１が直接内側シェル１０１のセグメントギヤ１０９に係合して内側シェル１０１を時計方向に回転させる。従ってこの場合にはシャッタ１００が完全に閉じた状態でのローディング動作の場合に比べてシャッタ１００の開放動作が早く行なわれる。
【００５９】
そしてこの後にさらにシャッタ開閉機構６５の開閉ベース６６がカートリッジ５１の側面を相対的に摺動し、ラック７１がセグメントギヤ１０９から離れた状態で、シャッタ開閉機構６５の位相ずれ矯正部材７９が内側シェル１０１の外周部のセグメントギヤ１０９と被ロック部１０８との間の突部の上面を摺動する。上述の如く位相ずれ矯正部材７９はばね８２によって押圧されてリミッタ機能が付与されているために、このリミッタ機能によって内側シェル１０１の外周面上をスリップしながら最終的には図３３に示すように位相ずれ矯正部材７９が内側シェル１０１の被ロック部１０８に噛合う。
【００６０】
すなわち位相ずれ矯正部材７９の内側シェル１０１の外周面上の相対的なスリップによって半開状態のシャッタ板１００の開閉ストロークの誤差を吸収する。従って図３５および図３６に示すように、最終的には位相ずれ矯正部材７９によって強制的にシャッタ板１００が全開状態になる。すなわちシャッタ板１００が半開状態でトレー１３上に載置されてローディングが行なわれても、必ずカートリッジ５１のシャッタ板１００は図３６に示すように全開状態で記録再生位置へ移動され、円滑な記録再生動作が可能になる。
【００６１】
次に図３６に示すようにシャッタ板１００が全開状態ではなく、例えば図３３あるいは図３４に示すように部分的に閉じられた状態でトレー１３によって記録再生位置から引出し位置へ移動された場合について考察する。この場合においては、位相ずれ矯正部材７９が内側シェル１０１の被ロック部１０８に係合して内側シェル１０１を回動させる動作が不完全であったりこの動作が行なわれず、開閉ベース６６上のラック７１が内側シェル１０１のセグメントギヤ１０９を反時計方向に回動させる。
【００６２】
そしてこの後に前方の位相ずれ矯正部材７５が内側シェル１０１のセグメントギヤ１０９と係合用凹部１１０との間の外周面上を摺動する。このような後側の位相ずれ矯正部材７５の内側シェル１０１の外周面上の摺動動作によって、シャッタ板１００の半開状態の不定ストロークを吸収する。そして最終的には図２８に示すように開閉ベース６６の前側の位相ずれ矯正部材７５が正しく内側シェル１０１の係合用凹部１１０に係合した状態で内側シェル１０１の開口１０６がシャッタ板１００によって完全に閉じられる。従って半開状態でＤＶＲ用カートリッジ５１の排出を行なっても、完全にシャッタ板１００によって閉じられた状態で排出される。
【００６３】
このように本実施の形態のディスク式記録再生装置におけるシャッタ開閉機構６５は開閉ベース６６と、排出時にシャッタを全閉させる前方側の位相ずれ矯正部材７５と、ローディング時にシャッタを全開させる後側の位相ずれ矯正部材７９と、カートリッジ５１の内側シェル１０１のセグメントギヤ１０９と噛合ってこの内側シェル１０１を回動させるラック７１とから構成されている。
【００６４】
ここでシャッタ開閉機構６５はトレー１３の記録再生位置への引込み動作によって、トレー１３上のカートリッジ５１の側面を相対的に摺動することによって、カートリッジ５１の側面に露出する内側シェル１０１のセグメントギヤ１０９および係合用凹部１１０を捕えて内側シェル１０１を回動させ、この内側シェル１０１に回動自在に支持されている一対のシャッタ板を開放する。
【００６５】
そしてシャッタ板１００の全開後においてはトレー１３の裏面に設けられているカム８５によってシャッタ開閉機構６５をカートリッジ５１の側面から離脱させ、これによってカートリッジ５１に対するガタ寄せを解除する。従ってこの後にカートリッジ５１のケース内におけるディスクのチャッキング時にケースの位置決めを阻害することがない。
【００６６】
またトレー１３を記録再生位置から引出し位置へ移動させる工程において、ケース内のディスクのチャッキングを解除した後に開閉ベース６６に設けられた圧縮コイルばね６８の力によって再びシャッタ開閉機構６５がカートリッジ５１の側面に押当てられ、これによってカートリッジ５１に対するガタ寄せを行なう。
そしてトレー１３の排出が始まるとトレー１３の引込み時とは逆方向の工程で上述の如く一対のシャッタ板１００が閉じられ、そしてシャッタ板１００によって内側シェル１０１の開口１０６と下側シェル９０の開口９１とがともに全閉された後にトレー１３の排出が行なわれる。これによってケース内の光ディスクの汚損を防止している。
【００６７】
またこのディスク式記録再生装置はトレー１３によって記録再生位置に引込まれたカートリッジ５１を図７〜図９に示すようにベースユニット２５上の一対のサポートロッド４５とサポートアーム４６とによって高精度に支持している。このときにカートリッジ５１の下側シェル９０はトレー１３の凹部１４の表面から約１ｍｍ浮いた状態になっている。そしてこのような状態において上側から図３７〜図３９に示すように、押圧機構によってカートリッジ５１を分離して弾性的に押圧している。
【００６８】
押圧機構は図３８に示す押圧ローラ１１９と、コイルばね１２０と、ピン１１７とから構成され、ホルダ板１１５の４つの開口１１６の部分にそれぞれ取付けられている。そしてベースユニット２５によって持上げられたカートリッジ５１をその上面から高精度に押え、これによってベースユニット２５を安定させる機能を有する。
【００６９】
トレー１３の開閉時に僅かながらカートリッジ５１やトレー１３の上面を上記の押圧ローラ１１９が摺動するために、カートリッジ５１の上面およびトレー１３の上面に傷をつけないように押圧ローラ１１９によって軽微な押圧力を与えるようにしている。また寸法のばらつきによる押えつけ力のばらつきを軽減するために、コイルばね１２０の巻数を増大させて可能な範囲でばね定数を小さく設定している。従ってこのような押圧機構によって、記録再生位置へ引込まれたＤＶＲ用カートリッジ５１を高精度に位置決めすることが可能になる。
【００７０】
また上記実施の形態は、カートリッジをトレーによって引出し位置から記録再生位置へ移動させるようにした装置に関するものであるが、本願に含まれる発明は、シャッタ開閉機構をシャッタを開いた後に退避させ、カートリッジに及していた荷重の解除を行なうことを顕著な特徴とするものであって、このような特徴は上記実施の形態のカートリッジのローディングをトレーで行なう方式以外の、例えばホップアップ式やスロットイン式等のローディング機構を有する記録再生装置にも有効に利用可能である。
【００７１】
本願の主要な発明は、ディスク状記録媒体をケース内に収納したカートリッジをトレーによって記録再生位置へ移動させ、ヘッドによって記録および／または再生を行なうようにしたディスク式記録および／または再生装置において、ヘッドがディスク状記録媒体にアクセスするカートリッジのケースの開口に設けられたシャッタを開閉するように装置側に設けられるシャッタ開閉機構を具備し、トレーによってカートリッジを記録再生位置へ移動させるときのカートリッジに対するシャッタ開閉機構の相対的運動によってシャッタが開かれ、トレーによってカートリッジを引出し位置へ移動させるときのカートリッジに対するシャッタ開閉機構の相対的運動によってシャッタが閉じられるとともに、トレーにシャッタ開閉機構をカートリッジの被作動部に押付ける突当てが設けられ、シャッタを開くときまたはシャッタを閉じるときに該突当て上をシャッタ開閉機構が相対的に摺動し、しかもシャッタ開閉機構が開放動作用の位相ずれ矯正部材を具備し、該位相ずれ矯正部材に圧縮コイルばねによってリミッタ機能が付与され、カートリッジ側の開放用凹部と係合することによってシャッタ開度が不定のカートリッジが装着された場合でもシャッタを全開状態にするようにしたものである。
【００７２】
従ってこのような構成によれば、カートリッジを搭載したトレーを記録再生位置側へ移動させるとカートリッジのシャッタが自動的に開放されるようになる。またカートリッジを搭載したトレーを記録再生位置から引出し位置側へ移動させるとカートリッジのシャッタが自動的に閉じられるようになる。すなわちトレーの移動動作を利用してカートリッジのシャッタの開閉が自動的に行なわれるようになる。
【図面の簡単な説明】
【図１】ディスク式記録再生装置の要部斜視図である。
【図２】同トレーを引出した状態の斜視図である。
【図３】ベースユニットの平面図である。
【図４】ベースユニットの側面図である。
【図５】ベースユニットの正面図である。
【図６】ベースユニットの斜視図である。
【図７】ＤＶＲ用カートリッジを装着したベースユニットの平面図である。
【図８】同側面図である。
【図９】同斜視図である。
【図１０】ベアディスクを搭載したベースユニットの平面図である。
【図１１】同側面図である。
【図１２】同斜視図である。
【図１３】チャッキングスライダの取付けを示す分解斜視図である。
【図１４】シャッタ開閉機構の分解斜視図である。
【図１５】同外観斜視図である。
【図１６】トレーを引出した状態のシャッタ開閉機構の配置を示す外観斜視図である。
【図１７】トレーを引込んだ状態のシャッタ開閉機構の配置を示す外観斜視図である。
【図１８】同シャッタ開閉機構が後退した状態の斜視図である。
【図１９】トレーの底部に対するシャッタ開閉機構の導入動作を示す斜視図である。
【図２０】シャッタ開閉機構が下側に引込まれたトレーの斜視図である。
【図２１】同シャッタ開閉機構が後退した状態の斜視図である。
【図２２】トレーの底部を示す要部斜視図である。
【図２３】シャッタ開閉機構を後退させた状態のトレーの裏側の斜視図である。
【図２４】突当てによるシャッタ開閉機構の前進動作を示すトレーの底面図である。
【図２５】カムによるシャッタ開閉機構の後退動作を示すトレーの底面図である。
【図２６】ＤＶＲ用カートリッジのシャッタ支持機構を示す要部斜視図である。
【図２７】シャッタの開放を開始する直前の状態を示す平面図である。
【図２８】シャッタの開放動作を示す平面図である。
【図２９】シャッタの開放動作を示す平面図である。
【図３０】シャッタの開放動作を示す平面図である。
【図３１】シャッタの開放動作を示す平面図である。
【図３２】シャッタの開放動作を示す平面図である。
【図３３】シャッタの開放動作を示す平面図である。
【図３４】シャッタの開放動作を示す平面図である。
【図３５】シャッタの開放動作を示す平面図である。
【図３６】シャッタが完全に開放された状態を示す平面図である。
【図３７】カートリッジの押圧機構を示す装置の全体の要部斜視図である。
【図３８】押圧機構の分解斜視図である。
【図３９】ベースユニットの上昇動作と押圧機構との関係を示す要部側面図である。
【符号の説明】
１０‥‥外筐、１１‥‥フロントパネル、１２‥‥横長開口、１３‥‥トレー、１４‥‥凹部、１５‥‥開口、１６‥‥Ｕ字状切込み、１７‥‥半円形の切込み、１８‥‥駆動ユニット、１９‥‥モータ、２０‥‥段部、２１‥‥ラック、２５‥‥ベースユニット、２６‥‥ブラケット、２７‥‥ターンテーブル、３１‥‥ＤＶＤ用ピックアップ、３２‥‥ＤＶＲ用ピックアップ、３３‥‥ガイドロッド、３４‥‥送りねじ、３５‥‥ステッピングモータ、３７、３８‥‥ガイドロッド、３９‥‥送りねじ、４０‥‥ステッピングモータ、４１‥‥ナット、４５‥‥サポートロッド、４６‥‥サポートアーム、４７、４８‥‥開口、５１‥‥ＤＶＲ用カートリッジ、５２‥‥ベアディスク、５６‥‥チャッキングスライダ、５７‥‥連結板、５８‥‥長孔、５９‥‥カム溝、６０‥‥ピン、６１‥‥縦溝、６４‥‥スリット、６５‥‥シャッタ開閉機構、６６‥‥開閉ベース、６７‥‥保持部、６８‥‥ばね、６９‥‥突部、７１‥‥ラック、７２‥‥係合爪、７３‥‥係合孔、７４‥‥ばね、７５‥‥位相ずれ矯正部材（前）、７６‥‥係合爪、７７‥‥係合孔、７８‥‥ばね、７９‥‥位相ずれ矯正部材（後）、８０‥‥係合爪、８１‥‥係合孔、８２‥‥ばね、８５‥‥カム、８６‥‥突当て、８７‥‥凹部、９０‥‥下側シェル、９１‥‥開口、９２‥‥ピン、９３‥‥ロックレバー、９４‥‥ロック部、９５‥‥弾性片、９６‥‥被押圧部、９７‥‥開閉ピン、１００‥‥シャッタ板、１０１‥‥内側シェル、１０２‥‥支点ピン、１０３‥‥スリット、１０６‥‥開口、１０８‥‥被ロック部、１０９‥‥セグメントギヤ、１１０‥‥係合用凹部、１１１‥‥突部、１１５‥‥ホルダ板、１１６‥‥開口、１１７‥‥ピン、１１８‥‥押圧レバー、１１９‥‥押圧ローラ、１２０‥‥コイルばね、１２５‥‥押圧用突部
【図１】
0004543300.tif 000002
【図２】
0004543300.tif 000003
【図３】
0004543300.tif 000004
【図４】
0004543300.tif 000005
【図５】
0004543300.tif 000006
【図６】
0004543300.tif 000007
【図７】
0004543300.tif 000008
【図８】
0004543300.tif 000009
【図９】
0004543300.tif 000010
【図１０】
0004543300.tif 000011
【図１１】
0004543300.tif 000012
【図１２】
0004543300.tif 000013
【図１３】
0004543300.tif 000014
【図１４】
0004543300.tif 000015
【図１５】
0004543300.tif 000016
【図１６】
0004543300.tif 000017
【図１７】
0004543300.tif 000018
【図１８】
0004543300.tif 000019
【図１９】
0004543300.tif 000020
【図２０】
0004543300.tif 000021
【図２１】
0004543300.tif 000022
【図２２】
0004543300.tif 000023
【図２３】
0004543300.tif 000024
【図２４】
0004543300.tif 000025
【図２５】
0004543300.tif 000026
【図２６】
0004543300.tif 000027
【図２７】
0004543300.tif 000028
【図２８】
0004543300.tif 000029
【図２９】
0004543300.tif 000030
【図３０】
0004543300.tif 000031
【図３１】
0004543300.tif 000032
【図３２】
0004543300.tif 000033
【図３３】
0004543300.tif 000034
【図３４】
0004543300.tif 000035
【図３５】
0004543300.tif 000036
【図３６】
0004543300.tif 000037
【図３７】
0004543300.tif 000038
【図３８】
0004543300.tif 000039
【図３９】
0004543300.tif 000040